(57)【要約】      （修正有）【課題】心肺音と心電図の測定機能を有する接触式の検査装置を提供する。【解決手段】検査装置Ｅは、ベース１００と、回路アセンブリ３００と、心電図センサと、ダイヤフラムと、環状部材４００と、定位部材５１０と、を有する。ベースは、頂面１２０と、底面と、導引部１２１と、開口部と、収容空間と、を有し、導引部は頂面に形成されており、開口部は底面に形成されており、収容空間は、底面と頂面との間に位置する。回路アセンブリは、収容空間内に設置されており、第１接点と、第２接点と、を有する。心電図センサは、底面に設置されており、回路アセンブリに電気的に接続されている。ダイヤフラムは、開口部を被覆する。環状部材は、ベースに回転自在に接続されており、導引素子を有し、導引素子は、滑動可能な方式で導引部と結合されている。定位部材は、環状部材に固定されており、接触部を有する。【選択図】図２
0003228373.tif 000002
【実用新案登録請求の範囲】
【請求項１】
検査装置であって、
底面と、頂面と、導引部と、開口部と、収容空間と、を有するベースであって、前記導引部は前記頂面に形成されており、前記開口部は前記底面に形成されており、前記収容空間は、前記底面と前記頂面との間に位置する、ベースと、
前記収容空間内に設置された回路アセンブリであって、第１接点と、第２接点と、を有する回路アセンブリと、
前記底面に設置された心電図センサであって、前記回路アセンブリに電気的に接続された心電図センサと、
前記開口部を被覆するダイヤフラムと、
前記ベースに回転自在に接続された環状部材であって、導引素子を有し、前記導引素子は、滑動可能な方式、前記導引部と結合されている、環状部材と、
前記環状部材に固定された定位部材であって、接触部を有し、前記環状部材が前記ベースに対して第１位置に存在する場合、前記接触部が前記第１接点に接触し、前記環状部材が前記ベースに対して第２位置に存在する場合、前記接触部が前記第２接点と接触する、定位部材と、
を有することを特徴とする検査装置。
【請求項２】
前記導引部は弧形スロットであり、前記導引素子は柱体であることを特徴とする請求項１に記載の検査装置。
【請求項３】
前記定位部材は、第１凹部と第２凹部とを有し、前記検査装置は、接合素子をさらに有し、前記接合素子は、前記ベースに固定されており、前記環状部材が前記ベースに対して前記第１位置に存在する場合、前記接合素子と前記第１凹部とが結合し、前記環状部材が前記ベースに対して前記第２位置に存在する場合、前記接合素子と前記第２凹部とが結合することを特徴とする請求項１に記載の検査装置。
【請求項４】
前記定位部材は可撓性を有することを特徴とする請求項３に記載の検査装置。
【請求項５】
前記接合素子はボールであることを特徴とする請求項３に記載の検査装置。
【請求項６】
前記検査装置は、
可撓性を有するプレス素子を有するプレスアセンブリと、
スイッチを有するトリガーアセンブリと、をさらに有し、
外力が前記プレス素子に加えられる場合、前記プレス素子が変形するともに、前記トリガーアセンブリと接触することを特徴とする請求項１に記載の検査装置。
【請求項７】
前記プレス素子はディスプレイ機能を有し、前記回路アセンブリと電気的に接続することを特徴とする請求項６に記載の検査装置。
【請求項８】
前記ベースは、穿孔をさらに有し、前記回路アセンブリは、イヤホンソケットをさらに有し、前記穿孔は、前記収容空間及び外部環境を連通し、前記イヤホンソケットの挿入孔は、前記穿孔と位置合わせされることを特徴とする請求項１に記載の検査装置。
【請求項９】
前記検査装置は、前記底面に設置された温度センサを有し、前記温度センサは、前記回路アセンブリと電気的に接続することを特徴とする請求項１に記載の検査装置。
【請求項１０】
前記心電図センサは、２つの電極を有し、前記温度センサは、前記電極の間に設置されていることを特徴とする請求項９に記載の検査装置。
【考案の詳細な説明】
【技術分野】
【０００１】
本考案は、検査装置に関し、特に、心肺音と心電図の測定機能を有する接触式の検査装置に関する。
【背景技術】
【０００２】
人体の身体状況の把握において、多くの検査方式があり、聴診器で人体体内の音（例えば、心音）を聞くことは、よく見られる診断方法である。しかし、現在の聴診器は、診断時に、チェストピースを用いて直接聞くことができるだけで、診断と同時に音を記録することができない。さらに、聴診器を用いた診断時に、人体の他の生理データを同時に検出することもできず、さらに多くの時間を費やし、異なる器具を使用しなければならず、使用上不便である。よって、これらの問題をどのように解決するかが重要な課題である。
【考案の概要】
【課題を解決するための手段】
【０００３】
上述した従来の問題を解決するため、本考案は、検査装置を提供する。検査装置は、ベースと、回路アセンブリと、心電図センサと、ダイヤフラムと、環状部材と、定位部材と、を有する。ベースは、頂面と、底面と、導引部と、開口部と、収容空間と、を有し、導引部は頂面に形成されており、開口部は底面に形成されており、収容空間は、底面と頂面との間に位置する。回路アセンブリは、収容空間内に設置されており、第１接点と、第２接点と、を有する。心電図センサは、底面に設置されており、回路アセンブリに電気的に接続されている。ダイヤフラムは、開口部を被覆する。環状部材は、ベースに回転自在に接続されており、導引素子を有し、導引素子は、滑動可能な方式で導引部と結合されている。定位部材は、環状部材に固定されており、接触部を有する。環状部材がベースに対して第１位置に存在する場合、接触部は、第１接点と接触する。環状部材がベースに対して第２位置に存在する場合、接触部は、第２接点と接触する。
【０００４】
本考案の実施形態において、導引部は弧形スロットであり、導引素子は柱体である。
【０００５】
本考案の実施形態において、定位部材は、第１凹部と第２凹部とを有し、可撓性を有する。検査装置は、ベースに固定される接合素子をさらに有する。環状部材がベースに対して第１位置に存在する場合、接合素子と第１凹部とが結合する。環状部材がベースに対して第２位置に存在する場合、接合素子と第２凹部とが結合する。いくつかの実施形態において、接合素子は、ボールである。
【０００６】
本考案の実施形態において、検査装置は、プレスアセンブリと、トリガーアセンブリと、をさらに有する。プレスアセンブリは、可撓性を有するプレス素子を有する。トリガーアセンブリは、スイッチを有する。プレス素子に外力が加えられる場合、プレス素子は、変形し、トリガーアセンブリと接触する。いくつかの実施形態において、プレス素子は、ディスプレイ機能を有し、回路アセンブリと電気的に接続する。
【０００７】
本考案の実施形態において、ベースは、穿孔をさらに有し、回路アセンブリは、イヤホンソケットをさらに有し、穿孔は、収容空間と外部環境とを連通し、イヤホンソケットの挿入孔は、穿孔と位置合わせされている。
【０００８】
本考案の実施形態において、検査装置は、底面に設置された温度センサをさらに有し、温度センサは、回路アセンブリと電気的に接続する。心電図センサは、２つの電極を有し、温度センサは、２つの電極の間に設置されており、電極は、ダイヤフラムを囲む。
【０００９】
本考案の実施形態において、回路アセンブリは、無線送信ユニットをさらに有する。回路アセンブリとダイヤフラムとの間の距離は、回路アセンブリと環状部材との間の距離よりも長い。検査装置の外形は、聴診器のチェストピース構造を有する。
【考案の効果】
【００１０】
本考案の検査装置は、診断と同時に音を記録することができ、さらに、聴診器で診断時に、人体の他の生理データを同時に検出することができ、便利である。
【図面の簡単な説明】
【００１１】
【図１】本考案の一実施形態による検査装置を示す図である。
【図２】本考案の一実施形態による検査装置の分解図である。
【図３】本考案の一実施形態による検査装置の底面図である。
【図４】図１のＡ−Ａ方向に沿った断面図である。
【図５Ａ】本考案の一実施形態における回路アセンブリの平面図である。
【図５Ｂ】本考案の一実施形態における回路アセンブリの底面図である。
【図６】本考案の一実施形態における定位部材を示す図である。
【図７Ａ】本考案の実施形態における環状部材がベースに対して第１位置に存在する場合の接触部と回路アセンブリとを示す図である。
【図７Ｂ】本考案の実施形態における環状部材がベースに対して第２位置に存在する場合の接触部と回路アセンブリとを示す図である。
【図７Ｃ】本考案の実施形態における環状部材がベースに対して第３位置に存在する場合の接触部と回路アセンブリとを示す図である。
【図７Ｄ】本考案の実施形態における環状部材がベースに対して第４位置に存在する場合の接触部と回路アセンブリとを示す図である。
【図８】図１のＢ−Ｂ方向に沿った断面図である。
【図９Ａ】本考案の実施形態における環状部材がベースに対して第１位置に存在する場合の定位部材と接合素子とを示す図である。
【図９Ｂ】本考案の実施形態における環状部材がベースに対して第２位置に存在する場合の定位部材と接合素子とを示す図である。
【図９Ｃ】本考案の実施形態における環状部材がベースに対して第３位置に存在する場合の定位部材と接合素子とを示す図である。
【図９Ｄ】本考案の実施形態における環状部材がベースに対して第４位置に存在する場合の定位部材と接合素子とを示す図である。
【図１０】本考案の一実施形態におけるプレス素子を示す図である。
【考案を実施するための形態】
【００１２】
以下に、本考案の実施形態による検査装置を説明する。しかし、本考案の実施形態は、多種多様な特定の状況で実施することができる多くの適用可能な考案の概念を提供することを理解された。説明する特定の実施形態は、本考案を実施するための特定の方法の単なる例示であり、本考案の範囲を限定するものではない。
【００１３】
特に定義されていない限り、本明細書で用いられる全ての用語（技術及び科学用語を含む）は、当業者によって通常理解されるのと同じ意味を有する。例えば、一般的な辞書で定義される用語は、相関技術及び本開示の文脈と同じ意味を有すると解釈されるべきであり、特に定義されていない限り、理想的又は過度に形式的な意味として解釈されないことを理解されたい。
【００１４】
本考案の一実施形態による検査装置Ｅは、図１に示すように、その外形が、聴診器のチェストピース構造を有している。検査装置Ｅは、様々な異なる機能を有しており、例えば、人体の心電図及び／又は体温を検出及び記録するのに用いられ、異なる操作モードでは、人体の体内の音（例えば、心音）を記録することができる。
【００１５】
図２及び図３の各々は、検査装置Ｅの分解図及び底面図であり、図４は、図１中のＡ−Ａ方向に沿った断面図である。図２〜図４に示すように、検査装置Ｅは、主に、ベース１００と、センサモジュール２００と、回路アセンブリ３００と、環状部材４００と、定位モジュール５００と、プレスアセンブリ６００と、トリガーアセンブリ７００と、を有する。
【００１６】
ベース１００は、底面１１０と、頂面１２０と、を有し、両者は、ベース１００の互いに反対側に位置し、頂面１２０は、環状部材４００側に向いている。検査装置Ｅが聴診器のチェストピース構造を有するために、ベース１００の底面１１０の断面積は、頂面１２０の断面積よりも大きい。また、図４に示すように、ベース１００は、底面１１０と頂面１２０との間に収容空間１３０を有し、収容空間１３０と連通する開口部１４０を底面１１０に有し、少なくとも１つの導引部１２１を頂面１２０に有する。
【００１７】
図３、図４に示すように、センサモジュール２００は、ダイヤフラム２１０と、心電図センサ２２０と、温度センサ２３０と、を有する。ダイヤフラム２１０は、ベース１００の底面１１０に設置されており、底面１１０の開口部１４０を被覆する。これにより、使用者が、ベース１００の底面１１０を人体に当てた場合、ダイヤフラム２１０は、音波によって振動を生成し、収容空間１３０を共振空胴として形成することができる。心電図センサ２２０及び温度センサ２３０は、同様に、ベース１００の底面１１０に設置されており、心電図センサ２２０は、ダイヤフラム２１０を囲む２つの電極２２１，２２２を有し、温度センサ２３０は、２つの電極２２１，２２２の間に設置されている。
【００１８】
図２〜図４及び図５Ａ、図５Ｂを参照すると、回路アセンブリ３００は、ベース１００の収容空間１３０内に設置されており、回路板３１０と、少なくとも１つの第１接点３２０と、少なくとも１つの第２接点３３０と、少なくとも１つの第３接点３４０と、少なくとも１つの第４接点３５０と、収音素子３６０と、ストレージユニット３７０と、無線送信ユニット３８０と、イヤホンソケット３９０と、を有し、回路板３１０は、第１面３１１と、第２面３１２と、を有し、第１面３１１は環状部材４００側に向いており、第２面３１２はダイヤフラム２１０側に向いている。第１接点３２０、第２接点３３０、第３接点３４０及び第４接点３５０は、第１面３１１に設置されており、収音素子３６０、ストレージユニット３７０及び無線送信ユニット３８０は、第２面３１２に設置されている。
【００１９】
ストレージユニット３７０は、センサモジュール２００の心電図センサ２２０及び温度センサ２３０に電気的に接続されており、収音素子３６０及びストレージユニット３７０に電気的に接続されている。検査装置Ｅが、十分な共振空胴の空間を有するために、本実施形態では、回路アセンブリ３００とダイヤフラム２１０との間の距離は、回路アセンブリ３００と環状部材４００との間の距離よりも長い。収音素子３６０は、共振空胴で得られた音情報を、アナログ信号からデジタル信号に切り換えるとともに、ストレージユニット３７０に送信して保存する。収音素子３６０は、ダイヤフラム２１０に面する第２面３１２に位置しているので、音情報が回路板３１０によって阻止されない。本実施形態では、ストレージユニット３７０は、リードオンリメモリ（Read Only Memory：ＲＯＭ）、フラッシュメモリ（flash memory）、ランダムアクセスメモリ（Random Access Memory：ＲＡＭ）又はハードディスクである。
【００２０】
図２〜図４、図５Ａに示すように、第１面３１１に設置された第１接点３２０、第２接点３３０、第３接点３４０及び第４接点３５０は、円弧経路に沿って配列されており、検査装置Ｅの中心軸Ｔは、円弧経路の円心を通過する。ベース１００の側面１５０には穿孔１５１が形成されており、この穿孔１５１は、収容空間１３０及び外部環境を連通する。イヤホンソケット３９０の挿入孔はこの穿孔１５１に位置合わせされており、イヤホンソケット３９０と、収音素子３６０又はストレージユニット３７０とが電気的に接続する。使用者が、検査装置Ｅを聴診器のチェストピースとして使用したい場合、外部のイヤホンをイヤホンソケット３９０に挿入し、収音素子３６０又はストレージユニット３７０が、音情報を外部のイヤホンに送信する。これにより、使用者は、人体の体内の音を、即時に、直接聞くことができる。
【００２１】
図２〜図４に戻ると、環状部材４００は、ベース１００と枢接されるとともに、聴診器のチェストピース構造を構成する。具体的には、環状部材４００は、少なくとも１つの導引素子４１０を有し、導引素子４１０によって、滑動可能な方式で、ベース１００の導引部１２１を接続し、環状部材４００は、ベース１００に対して、中心軸Ｔの周りを旋転する。本実施形態では、導引部１２１は弧形スロットであり、導引素子４１０は、弧形スロット内に収容される柱体である。いくつかの実施形態において、導引素子４１０は弧形スロットであり、導引部１２１は、滑動可能な方式で、弧形スロット内の柱体に設置される。
【００２２】
図６を参照すると、定位モジュール５００は、定位部材５１０を有し、定位部材５１０は、本体５１１と、少なくとも１つの接触部５１２と、を有する。本実施形態において、本体５１１は、弧状の弾性片であり、可撓性を有する。接触部５１２は、本体５１１と接続されており、回路アセンブリ３００に向かって延在する。図２〜図４に示すように、定位部材５１０は、収容空間１３０に収容されており、環状部材４００に固定されている。これにより、環状部材４００がベース１００に対して旋転する場合、定位部材５１０も同時に旋転する。定位部材５１０の接触部５１２の各々は、第１接点３２０、第２接点３３０、第３接点３４０又は第４接点３５０と接触して、検査装置Ｅを異なる検出モードにする。
【００２３】
具体的には、図７Ａに示すように、環状部材４００がベース１００に対して第１位置に存在する場合、接触部５１２は、第１接点３２０と接触し、このとき、回路アセンブリ３００は、信号を心電図センサ２２０及び温度センサ２３０に送ることができ、心電図センサ２２０及び温度センサ２３０は、信号を受信した後に起動するとともに、測定されたデータをストレージユニット３７０に送信する。図７Ｂに示すように、環状部材４００がベース１００に対して第２位置まで旋転した場合、接触部５１２は、第２接点３３０と接触し、このとき、収音素子３６０が起動するとともに、音情報を受信する。図７Ｃに示すように、環状部材４００がベース１００に対して第３位置まで旋転した場合、接触部５１２は、第３接点３４０と接触し、このとき、心電図センサ２２０、温度センサ２３０及び収音素子３６０が同時に起動する。図７Ｄに示すように、環状部材４００がベース１００に対して第４位置まで旋転した場合、接触部５１２は、第４接点３５０と接触して、停止状態にする。
【００２４】
図２、図６及び図８を参照すると、定位モジュール５００は、定位部材５１０の他に接合素子５２０をさらに有し、環状部材４００は、定位モジュール５００によって、第１位置、第２位置、第３位置及び第４位置で定位する。本実施形態において、接合素子５２０はボールであり、定位部材５１０の本体５１１には、第１凹部５１３と、第２凹部５１４と、第３凹部５１５と、第４凹部５１６と、が形成されている。
【００２５】
図８に示すように、接合素子５２０は、ベース１００に設置されており、その位置がベース１００に対して固定されている。本実施形態において、ベース１００の頂壁には凹部１２２が形成されており、接合素子５２０の一部は、凹部１２２に収容され、接合素子５２０のうち凹部１２２から突出する部分は、定位部材５１０と接触する。
【００２６】
図９Ａに示すように、環状部材４００がベース１００に対して第１位置に存在する場合、接合素子５２０は、第１凹部５１３内に進入し、環状部材４００を第１位置で固定する。使用者が操作モードを切り換えたい場合、力を加えて、環状部材４００をベース１００に対して旋転させる。定位部材５１０は、可撓性を有する弧状の弾性片であるため、使用者が力を加えた後に定位部材５１０が変形し、接合素子５２０が第１凹部５１３を離れるとともに、定位部材５１０の表面上を移動し、最後に、第１凹部５１３と隣り合う第２凹部５１４に進入する（図９Ｂ）。
【００２７】
図９Ｂ〜図９Ｄに示すように、環状部材４００がベース１００に対して第２位置、第３位置及び第３位置に存在する場合、接合素子５２０は、第２凹部５１４、第３凹部５１５及び第４凹部５１６の各々に進入して、環状部材４００を固定させる。
【００２８】
本実施形態における定位部材５１０及び接合素子５２０は、金属から構成されているので、両者の摩擦によって屑が生じるのを減少させる。さらに、接合素子５２０はボールであることから、接合素子５２０が定位部材５１０の表面上を移動する場合に同時に回転及び滑動することによって、屑をさらに減少させることができる。
【００２９】
図２〜図４に示すように、プレスアセンブリ６００は、本体６１０と、プレス素子６２０と、を有し、両者は、組み合わされて空間を構成し、トリガーアセンブリ７００をこの空間内に設置することができる。本実施形態において、プレス素子６２０は、可撓性を有する薄膜であることによって、使用者がプレス素子６２０を押すと、プレス素子６２０が変形するとともに、トリガーアセンブリ７００のスイッチ７１０と接触して、人体体内の音及び／又は心臓の電気生理活動（心電図）の記録をストレージユニット３７０に開始させる。使用者が記録を停止したい場合、プレス素子６２０を押して、トリガーアセンブリ７００のスイッチ７１０に再度接触させる。
【００３０】
本実施形態において、プレス素子６２０は、ディスプレイ機能をさらに有しており、例えば、液晶ディスプレイ（ＬＣＤ）、発光ダイオードディスプレイ（ＬＥＤ）又は有機発光ダイオードディスプレイ（ＯＬＥＤ）を有している。プレス素子６２０は、ストレージユニット３７０と電気的に接続する、又は、心電図センサ２２０、温度センサ２３０、収音素子３６０と直接、電気的に接続する。心電図センサ２２０、温度センサ２３０及び／又は収音素子３６０の感知データをこのディスプレイに送信し、プレス素子６２０で表示することによって、使用者に見せることができる。
【００３１】
回路アセンブリ３００の無線送信ユニット３８０は、同様に、ストレージユニット３７０と電気的に接続することによって、心電図センサ２２０、温度センサ２３０及び／又は収音素子３６０の感知データを、無線方式で、外部の電子裝置（例えば、コンピュータ又はスマートフォン）に送信することもできる。使用者は、外部の電子装置から直接、感知データを見ることができる。
【００３２】
また、本実施形態において、プレス素子６２０は、タッチ機能をさらに有し、使用者は、プレス素子６２０を用いて、検査装置Ｅの操作を実行することができる（例えば、外部のイヤホンを利用して人体内の音を聞く場合、ディスプレイをタッチして音量を調整する）。
【００３３】
図１０は、本考案の一実施形態におけるプレス素子６２０を示す図である。図示するように、プレス素子６２０は、液晶ディスプレイ６２１を有しており、使用者は、プレス素子６２０のボタンに接触して、検査装置Ｅを操作し、又は、表示内容を変更する。例えば、符号＋を押して、イヤホンソケット３９０から出力される音声の音量を調整し、符号ＲＥＣを押して、検査装置Ｅを起動して記録を開始し、符号ＮＥＸＴを押して、液晶ディスプレイ６２１が表示する記録情報を変更することができる。
【００３４】
要約すると、本考案は、検査装置を提供し、検査装置は、ベースと、回路アセンブリと、心電図センサと、ダイヤフラムと、環状部材と、定位部材と、を有する。ベースは、頂面と、底面と、導引部と、開口部と、収容空間と、を有し、導引部は頂面に形成されており、開口部は底面に形成されており、収容空間は、底面と頂面との間に位置する。回路アセンブリは、収容空間内に設置されており、第１接点と、第２接点と、を有する。心電図センサは、底面に設置されており、回路アセンブリに電気的に接続されている。ダイヤフラムは、開口部を被覆する。環状部材は、ベースに回転自在に接続されており、導引素子を有し、導引素子は、滑動可能な方式で導引部と結合されている。定位部材は、環状部材に固定されており、接触部を有する。環状部材がベースに対して第１位置に存在する場合、接触部は、第１接点と接触する。環状部材がベースに対して第２位置に存在する場合、接触部は、第２接点と接触する。
【００３５】
開示された実施形態及びこれらの利点を詳細に説明してきたが、本考案の趣旨を逸脱しない限り、様々な変更、置換及び修飾が可能であることを理解されたい。さらに、本考案の保護範囲は、本明細書に記載された特定の実施形態のプロセス、機器、製造、組成物、手段、方法及び工程に限定されず、当業者が本考案の開示から理解するように、現在存在する又は将来開発されるプロセス、機器、製造、組成物、手段、方法又は工程を、本明細書に記載された対応する実施形態と実質的に同じ機能を実行するか実質的に同じ結果を達成できるのであれば、本考案に従って使用することができる。よって、本考案の保護範囲は、このようなプロセス、機器、製造、組成物、手段、方法、工程を含む。また、実用新案登録請求の範囲は、そのような全ての変更形態及び類似の構成を包含するように、最も広い解釈で扱われるべきである。
【００３６】
本考案の好ましい実施形態を上述したように説明したが、本考案はこれらに限定されるものではなく、当業者であれば、本考案の思想を逸脱しない範囲で様々な変形を加えることができる。
【符号の説明】
【００３７】
１００…ベース
１１０…底面
１２０…頂面
１２１…導引部
１２２…凹部
１４０…開口部
１５０…側面
１５１…穿孔
２００…センサモジュール
２１０…ダイヤフラム
２２０…心電図センサ
２２１…電極
２２２…電極
２３０…温度センサ
３００…回路アセンブリ
３１０…回路板
３１１…第１面
３１２…第２面
３２０…第１接点
３３０…第２接点
３４０…第３接点
３５０…第４接点
３６０…収音素子
３７０…ストレージユニット
３８０…無線送信ユニット
３９０…イヤホンソケット
４００…環状部材
４１０…導引素子
５００…定位モジュール
５１０…定位部材
５１１…本体
５１２…接触部
５１３…第１凹部
５１４…第２凹部
５１５…第３凹部
５１６…第４凹部
５２０…接合素子
６００…プレスアセンブリ
６１０…本体
６２０…プレス素子
６２１…液晶ディスプレイ
７００…トリガーアセンブリ
７１０…スイッチ
Ｅ…検査装置
Ｔ…中心軸
【図１】
0003228373.tif 000003
【図２】
0003228373.tif 000004
【図３】
0003228373.tif 000005
【図４】
0003228373.tif 000006
【図５Ａ】
0003228373.tif 000007
【図５Ｂ】
0003228373.tif 000008
【図６】
0003228373.tif 000009
【図７Ａ】
0003228373.tif 000010
【図７Ｂ】
0003228373.tif 000011
【図７Ｃ】
0003228373.tif 000012
【図７Ｄ】
0003228373.tif 000013
【図８】
0003228373.tif 000014
【図９Ａ】
0003228373.tif 000015
【図９Ｂ】
0003228373.tif 000016
【図９Ｃ】
0003228373.tif 000017
【図９Ｄ】
0003228373.tif 000018
【図１０】
0003228373.tif 000019